(57)【要約】      （修正有）【課題】各折り畳みの操作ステップが一体で行われるクイック折り畳み自転車を提供する。【解決手段】フレーム１０の後ろフォーク１６がサドルパイプ１３に対して局部回転可能であり、スリーブ２０の一端は前フォーク１４の一端に設置される。スライドパイプ３０は該サドルパイプ内に挿入され、且つ該サドルパイプに対して軸方向スライド運動可能である。該折り畳み器４０は該スリーブと該前フォークの間に取り付けられて、該スリーブと前フォークを相互折り畳みと展開可能とする。係合器５０は上パイプ１１のサドルパイプに接近する一端に取り付けられ、該上パイプを展開或いは折り畳み可能とする。連接棒セット６０は上パイプと後ろフォークの間に取り付けられ、該スライドパイプが操作される時に、上パイプと後ろフォークを駆動してサドルパイプに対して回転させ、クイック折り畳み効果を達成する。【選択図】図１
0003116838.tif 000002
【実用新案登録請求の範囲】
【請求項１】
クイック折り畳み自転車において、
上パイプ、上パイプ前段に固定された前フォーク、及び該上パイプの後段に固定されたサドルパイプを具え、該サドルパイプに後ろフォークが枢設されたフレームと、
該サドルパイプ中に挿入され、且つ該サドルパイプに対して軸方向スライド運動を形成可能なスライドパイプと、
該上パイプの前段と後段の間に取り付けられ、該上管の前段、後段を相対回転させる、係合器と、
該スライドパイプに設けられ、且つ該上パイプの前段と後ろフォーク部分或いはそのいずれか一方に接続されて、立体交錯変形の折り畳み構造を構成する、連接棒セットと、
を包含したことを特徴とする、クイック折り畳み自転車。
【請求項２】
請求項１記載のクイック折り畳み自転車において、連接棒セットは上パイプ前段とスライドパイプの間の第１連接棒と、後ろフォークとスライドパイプの間の第２連接棒を包含したことを特徴とする、クイック折り畳み自転車。
【請求項３】
請求項２記載のクイック折り畳み自転車において、後ろフォークの揺動中心線と係合器の回転中心線がいずれも水平に設置され、両者の中心線延伸方向が上パイプの軸線方向に傾斜するか、或いは両者の中心線延伸方向が、いずれも該上パイプの軸線方向に垂直であるか、一方が傾斜し一方が垂直な設計とされたことを特徴とする、クイック折り畳み自転車。
【考案の詳細な説明】
【技術分野】
【０００１】
本考案は折り畳み自転車に係り、特に、クイック折り畳み自転車に関する。
【背景技術】
【０００２】
特許文献１に記載の折り畳み自転車は、上パイプ３０に前折り畳み器４０Ａと後ろ折り畳み器Ｂが設けられ、並びにフレーム後方に固定或いはサドル５１のパイプ５０を固定或いは釈放可能な折り畳み器が設けられ、並びにフレーム前方に、ハンドル５２を折り曲げられる折り畳み器４０Ｄが設けられている。
【０００３】
使用時の第１ステップは、サドル５１の折り畳み器４０Ｃを開放し、サドル５１を下圧し、及びパイプ５０を下ろして後輪２０前端に至らせ、さらに折り畳み器４０Ｃを締め付ける。第２ステップは、ハンドル５２の折り畳み器４０Ｄを開放し、ハンドル５２を前輪側辺に折り畳む。第３ステップは上パイプ３０の前折り畳み器４０Ａを開放し、前輪１０を上パイプ３０の１側に折り畳む。第４ステップは後ろ折り畳み器４０Ｂを開放し、後輪２０を上パイプ３０の別の１側に折り畳む。第５ステップは粘着帯５３を折り畳み後の部品に巻いて固定を形成する。
【０００４】
周知のこの構造は実用上、多くの欠点があり、なぜならその各折り畳みの操作ステップがいずれも分けて独立して行われなければならず、単一ステップ中に各部品を相互に折り畳んで一体とすることができず、使用上、相当に不便で面倒であり、さらに時間を浪費する問題がある。ならびに消費者にとって便利な使用の設計を提供しておらず、相当に産業上の利用性に符合せず、ゆえに研究開発の必要がある。
【０００５】
【特許文献１】台湾パテント第Ｍ２６３２９３号明細書
【考案の開示】
【考案が解決しようとする課題】
【０００６】
本考案は一種のクイック折り畳み自転車を提供することを目的とし、それは周知の構造における、各折り畳みの操作ステップが分離独立して行われ、単一ステップ中に各部品相互に一体に折り畳みできず、使用上、使用上、相当に不便で面倒であり、さらに時間を浪費する問題がある。ならびに消費者にとって便利な使用の設計を提供しておらず、相当に産業上の利用性に符合せず、ゆえに研究開発の必要があるという問題を解決するものである。
【０００７】
本考案はゆえに一種のクイック折り畳み自転車を提供し、それは、フレーム、スリーブ、スライドパイプ、折り畳み器、係合器と連接棒セットを具えている。該フレームの後ろフォークがサドルパイプに対して局部回転可能である。該スリーブの一端は前フォークの一端に設置される。該スライドパイプは該サドルパイプ内に挿入され、且つ該サドルパイプに対して軸方向スライド運動可能である。該折り畳み器は該スリーブと該前フォークの間に取り付けられて、該スリーブと前フォークを相互折り畳みと展開可能とする。該係合器は上パイプのサドルパイプに接近する一端に取り付けられ、該上パイプを展開或いは折り畳み可能とする。該連接棒セットは上パイプと後ろフォークの間に取り付けられ、該スライドパイプが操作される時に、上パイプと後ろフォークを駆動してサドルパイプに対して回転させ、クイック折り畳み効果を達成する。
【課題を解決するための手段】
【０００８】
請求項１の考案は、クイック折り畳み自転車において、
上パイプ、上パイプ前段に固定された前フォーク、及び該上パイプの後段に固定されたサドルパイプを具え、該サドルパイプに後ろフォークが枢設されたフレームと、
該サドルパイプ中に挿入され、且つ該サドルパイプに対して軸方向スライド運動を形成可能なスライドパイプと、
該上パイプの前段と後段の間に取り付けられ、該上管の前段、後段を相対回転させる、係合器と、
該スライドパイプに設けられ、且つ該上パイプの前段と後ろフォーク部分或いはそのいずれか一方に接続されて、立体交錯変形の折り畳み構造を構成する、連接棒セットと、
を包含したことを特徴とする、クイック折り畳み自転車としている。
請求項２の考案は、請求項１記載のクイック折り畳み自転車において、連接棒セットは上パイプ前段とスライドパイプの間の第１連接棒と、後ろフォークとスライドパイプの間の第２連接棒を包含したことを特徴とする、クイック折り畳み自転車としている。
請求項３の考案は、請求項２記載のクイック折り畳み自転車において、後ろフォークの揺動中心線と係合器の回転中心線がいずれも水平に設置され、両者の中心線延伸方向が上パイプの軸線方向に傾斜するか、或いは両者の中心線延伸方向が、いずれも該上パイプの軸線方向に垂直であるか、一方が傾斜し一方が垂直な設計とされたことを特徴とする、クイック折り畳み自転車としている。
【考案の効果】
【０００９】
本考案は以下のような長所を有している。
１．本考案のクイック折り畳み自転車は、ユニバーサルジョイントを具えた連接棒セットを利用し、上パイプと後ろフォークを同時にサドルパイプに対して回転させて偏らせ、速やかな自転車の折り畳みと展開の効果を達成する。
２．本考案のクイック折り畳み自転車は、後ろフォークの揺動中心線と係合器の枢軸の軸線がいずれも水平設置され、且つ両者の上管に対応する位置に傾斜設計が採用されるか或いは両者の上管に対応する位置にともに傾斜設計が採用されるか、或いは一方が傾斜し、一方が垂直の設計が採用される。
３．本考案のクイック折り畳み自転車は、後ろフォークがサドルパイプに対して回転動作を発生し、連接棒セットが順調にスライドパイプを駆動する。
【考案を実施するための最良の形態】
【００１０】
図１と図２を参照されたい。本考案の自転車１は、以下の構造を包含する。
【００１１】
フレーム１０は上パイプ１１、上パイプ１１の前段に固定された前パイプ１２、及び上パイプ１１の後段に固定されたサドルパイプ１３を具えている。該前パイプ１２内に、前パイプ１２に対して回転可能な前フォーク１４が設けられ、該前フォーク１４に前輪１５が取り付けられている。該サドルパイプ１３の一端にクイック取り外しセット１３１が設けられ、該サドルパイプ１３（該サドルパイプ１３の前側、或いは後ろ側、或いは左右両側）にサドルパイプ１３に対して局部回転可能な後ろフォーク１６が取り付けられている。該後ろフォーク１６の回転中心線は水平に設置され、且つ上パイプ１１の軸線方向と相互に傾斜して夾角を形成している。後ろフォーク１６の回転中心線も該上パイプ１１の軸線方向に垂直に設置可能である。また後ろフォーク１６に後輪１７が取り付けられる。後ろフォーク１６のサドルパイプ１３に近い一端に更にクランクセット１８が設けられ、該クランクセット１８は使用者のペダリングに供される。
【００１２】
スリーブ２０の一端は、前フォーク１４の前輪１５と反対の一端に設置され、該スリーブ２０の前フォーク１４と反対の一端にスリーブ２０内を軸方向運動可能な立パイプ２１が挿入され、これにより該立パイプ２１の高さを調整可能である。スリーブ２０の立パイプ２１に近い一端にクイック取り外しセット２０１が取り付けられ、該クイック取り外しセット２０１はスリーブ２０内の立パイプ２１を固定或いは釈放する。該立パイプ２１の自由端にはハンドル２２が固定され、該ハンドル２２は使用者が乗車する時の握持に供される。該立パイプ２１に更に係合部品２１１が設けられ、該係合部品２１１は自転車１が折り畳み状態の時、後ろフォーク１６に係止され、位置決め効果を形成する。
【００１３】
スライドパイプ３０はサドルパイプ１３内に挿入され、且つサドルパイプ１３に対して軸方向にスライド運動し、並びにスライドパイプ３０はサドルパイプ１３のクイック取り外しセット１３１により固定或いは釈放の効果を達成する。該スライドパイプ３０の一端に当接部３０１が形成され、該当接部３０１はスライドパイプ３０の底端に当接し、制限の効果を形成する。該スライドパイプ３０の当接部３０１から離れた一端にスライドパイプ３０内を軸方向移動可能なサドルステム３１が設けられ、これにより該サドルステム３１の高さを調整できる。スライドパイプ３０のサドルステム３１に接近する一端にクイック取り外しセット３０２が設けられ、該クイック取り外しセット３０２はスライドパイプ３０内のサドルステム３１の固定或いは釈放に供される。該サドルステム３１の自由端にサドル３２が取り付けられ、該サドル３２は使用者が座るのに供される。
【００１４】
折り畳み器４０がスリーブ２０と前フォーク１４の間に取り付けられ、スリーブ２０と前フォーク１４が相互に折り畳み或いは展開可能とされる。該折り畳み器４０は周知の技術と同じであるため、ここでは簡単にその構造について説明する。該折り畳み器４０はスリーブ２０の一端に結合された第１折り畳み部品４１と前フォーク１４の１端に結合された第２折り畳み部品４２を具え、第１折り畳み部品４１と第２折り畳み部品４２は枢軸４３により相互に一体に枢設されている。そのうち、該枢軸４３は水平設置され、且つその軸線延伸方向はハンドル２２の軸線と相互に傾斜し夾角を形成する。これにより傾斜設置された折り畳み器４０がスリーブ２０を前フォーク１４の一側に回転させ、上パイプ１１或いは前パイプ１２の阻止による折り畳み時の空間サイズの制限がない。当然、折り畳み器４０の枢軸４３はハンドル２２の軸線方向に対して垂直或いは平行に設置可能である。
【００１５】
折り畳み器４０は第１折り畳み部品４１内に更に弾性回復可能なピン４４を具え、該ピン４４は弾性により自動的に第２折り畳み部品４２に係止される。該折り畳み器４０は更に立パイプ２１に取り付けられたスイッチ４５と、該スイッチ４５とピン４４の間を接続する連動部品４６を包含する。該スイッチ４５は使用者操作に供されて連動部品４６にピン４４を駆動させて第２折り畳み部品４２を離脱させ、折り畳み器４０に釈放状態を形成させる。スイッチ４５は本実施例では押しボタンとされるが、当然、タブとされ得て、該連動部品４６は本実施例ではブレーキ線が採用される。
【００１６】
係合器５０は該上パイプ１１に取り付けられ、該上パイプ１１の前段と後段が展開或いは収納可能とされる。該係合器５０は第１係合部品５１と第２係合部品５２を具え、該第１係合部品５１は上パイプ１１の後段に取り付けられ、第２係合部品５２は上パイプ１１の前段に取り付けられ、第１及び第２係合部品５１、５２は枢軸５３で相互に一体に枢設される。そのうち枢軸５３は水平設置され、且つその軸線延伸方向は上パイプ１１の軸線方向と相互に傾斜し、夾角を形成する。これにより、傾斜設置された係合器５０が前輪１５を回転させ並びに後輪１７の一側に偏らせ、阻止を受けて折り畳み時の空間サイズが制限されることがない。当然、係合器５０の枢軸５３は上パイプ１１の軸線方向に垂直に設置されうる。該係合器５０は第１係合部品５１に更に第２係合部品５２に係止される位置決め部品５４を具え、該位置決め部品５４は略Ｕ形状を呈し、その両端は第１係合部品５１に枢設されている。
【００１７】
連接棒セット６０は上パイプ１１と後ろフォーク１６の間に取り付けられ、該スライドパイプ３０を操作する時に、該上パイプ１１と該後ろフォーク１６が該サドルパイプ１３に対して回転動作する。該連接棒セット６０は第１連接棒６１と第２連接棒６２を包含し、該第１連接棒６１の一端はユニバーサルジョイント６１１を利用して上パイプ１１の前パイプ１２に近い一端に接続され、第１連接棒６１の該上パイプ１１より離れた一端もユニバーサルジョイント６１２を利用して該スライドパイプ３０の当接部３０１に接続される。第２連接棒６２の１端はユニバーサルジョイント６２１を利用して後ろフォーク１６の後輪１７に近い一端に接続され、第２連接棒６２の該後ろフォーク１６より離れた一端もユニバーサルジョイント６２２を利用してスライドパイプ３０の当接部３０１に接続されている。これにより、スライドパイプ３０がサドルパイプ１３内で軸方向移動する時、該スライドパイプ３０の当接部３０１が上パイプ１１及び後ろフォーク１６を駆動して揺動させる。
【００１８】
図３に示されるように、折り畳み自転車１を折り畳みたい時は、使用者は片手（仮に右手とする）で先ずハンドル２２を握持し、並びにそれを１８０度回転させる。このとき、スイッチ４５は手指の届くところにある。使用者が別の手（仮に左手とする）で該係合器５０の位置決め部品５４を操作する時、該係合器５０が釈放状態を形成する。
【００１９】
図４に示されるように、使用者がこのとき、左手でサドル３２を握り、さらに両手で内側に向けて回す力を加え、前輪１５及び後輪１７を地面において回転させ徐々に接近させる。且つ連接棒セット６０の作用により、スライドパイプ３０がサドルパイプ１３に対して下に移動し、即ち、サドルパイプ１３がスライドパイプ３０に対して上に移動する。後ろフォーク１６はサドルパイプ１３に対して回転動作を発生する。
【００２０】
図５に示されるように、上パイプ１１が一定角度折り曲げられた後（使用者の施力の大きさにより異なる）、使用者の右手が順にスイッチ４５を押し、これにより折り畳み器４０が釈放状態を形成し、このとき、スリーブ２０が前フォーク１４の一側に折り曲げられる。
【００２１】
図６と図７に示されるように、前輪１５が続けて回転し後輪１７の一側に接近した後、該サドルパイプ１３はスライドパイプ３０の上端に位置し、スライドパイプ３０の当接部３０１もまた地面に当接し、自転車１の折り畳み動作が完成し、使用上、相当に快速で、且つ時間を節約でき、また、操作に便利な長所があり、わずかにワンステップで自転車１の折り畳み動作を完成できる。前輪１５、後輪１７及び当接部３０１の地面への三点接触により、折り畳み後の自転車１の安定した地面上での起立が可能となる。
【００２２】
図８に示されるように、本考案の自転車１は、さらに該サドルステム３１とスライドパイプ３０の間の相対位置を調整可能であり、これによりサドル３２の高さを使用者の走行時の手部の高さに合わせることができ、使用者の走行時にこの自転車１の牽引或いは押動が可能であり、携帯上、相当に便利である。自転車１展開時に、使用者は左、右手でそれぞれハンドル２２及びサドル３２を握持し、前述の動作と反対方向に行うことで、自転車１を快速に展開でき、時間がわずかに数秒しかかからず、時間を節約し消費者の使用に便利な設計である。
【図面の簡単な説明】
【００２３】
【図１】本考案の自転車の未折り畳み時の状態図である。
【図２】本考案の平面図であり、係合器の係合時の状態を示す。
【図３】本考案の自転車の折り畳み時の動作図である。
【図４】本考案の自転車の折り畳み時の動作図である。
【図５】本考案の自転車の折り畳み時の動作図である。
【図６】本考案の自転車の折り畳み後の動作図である。
【図７】本考案の平面図であり、係合器の展開時の状態図である。
【図８】本考案の自転車の折り畳み後の状態図である。
【符号の説明】
【００２４】
１  自転車
１０  フレーム        １１  上パイプ
１２  前パイプ        １３  サドルパイプ
１３１  クイック取り外しセット  １４  前フォーク
１５  前輪                      １６  後ろフォーク
１７  後輪                      １８  クランクセット
２０  スリーブ                  ２０１  クイック取り外しセット
２１  立パイプ                  ２１１  係合部品
２２  ハンドル                  ３０  スライドパイプ
３０１  当接部                  ３０２  クイック取り外しセット
３１  サドルステム              ３２  サドル
４０  折り畳み器                ４１  第１折り畳み部品
４２  第２折り畳み部品          ４３  枢軸
４４  ピン                      ４５  スイッチ
４６  連動部品                  ５０  係合器
５１  第１係合部品              ５２  第２係合部品
５３  枢軸                      ５４  位置決め部品
６０  連接棒セット              ６１  第１連接棒
６１１  ユニバーサルジョイント  ６１２  ユニバーサルジョイント
６２  第２連接棒                ６２１  ユニバーサルジョイント
６２２  ユニバーサルジョイント
【図１】
0003116838.tif 000003
【図２】
0003116838.tif 000004
【図３】
0003116838.tif 000005
【図４】
0003116838.tif 000006
【図５】
0003116838.tif 000007
【図６】
0003116838.tif 000008
【図７】
0003116838.tif 000009
【図８】
0003116838.tif 000010